(57)【特許請求の範囲】
【請求項１】
文学及び音楽作品を支持するための台であって、
デスク手段と、
主接合部材を含む少なくとも１つの接合部材であって、前記主接合部材は溝を有し、前記溝は前記接合部材の外側表面を形成し、前記主接合部材の回転対称の軸に実質的に平行である接合部材と、
前記デスク手段と前記接合部材の両者に結合した傾斜ブロックと、
軸方向空洞及び少なくとも一つの横方向空洞を有するスピンドルであって、前記スピンドルは前記主接合部材に調節可能に結合されており、前記軸方向空洞は、前記スピンドルと前記主接合部材の両者と実質的に同軸であるスピンドルと、
複数の脚であって、前記複数の脚の各々は前記スピンドルに結合して前記スピンドルを支持する複数の脚と、
高さ調節手段であって、
前記スピンドルに結合し、前記スピンドルの前記軸方向空洞に向かって延び、前記主接合部材の前記溝に摩擦係合するガイドワイヤと、
前記スピンドル中に埋封され、前記横方向空洞に中心があるねじ山付インサートであって、前記横方向空洞は前記ねじ山付インサートと一体的に係合している、ねじ山付インサートと、
前記ねじ山付インサートと前記ガイドワイヤに係合して、前記ワイヤが前記主接合部材の前記溝に係合する部分の垂直抗力を調節するねじ手段と、
を有する高さ調節手段と、
を具備する台。
【請求項２】
前記ねじ手段は、第１ねじ切り部分と第２ねじ切り部分及び前記第１ねじ切り部分と第２ねじ切り部分の間のねじ切りしていない部分を具備し、前記第１ねじ切り部分及び第２ねじ切り部分の両方を、回転させて外さない限り前記ねじ手段がねじ山付インサートから分離されない、請求項１に記載の台。
【請求項３】
前記ねじ手段は、１の方向に回転することで、前記ガイドワイヤを前記スピンドルの半径中心に向かって屈曲させて前記主接合部材の前記溝と前記ガイドワイヤとの間の垂直抗力を増加させ、前記１の方向と反対方向に回転することで、前記溝と前記ガイドワイヤとの間の垂直抗力を減少させるよう形成されている、請求項１に記載の台。
【請求項４】
文学及び音楽作品を支持するための台であって、
デスク手段と、
主接合部材を含む少なくとも１つの接合部材であって、前記主接合部材は溝を有し、前記溝は前記接合部材の外側表面に設けられ、前記主接合部材の回転対称の軸に実質的に平行である接合部材と、
前記デスク手段と前記接合部材の両者に結合した傾斜ブロックと、
軸方向空洞及び少なくとも一つの横方向空洞を有するスピンドルであって、前記スピンドルは前記主接合部材に調節可能に結合されており、前記軸方向空洞は、前記スピンドルと前記主接合部材の両者と実質的に同軸であるスピンドルと、
複数の脚であって、前記複数の脚の各々は前記スピンドルに結合して前記スピンドルを支持する複数の脚と、
高さ調節手段であって、
前記スピンドルに結合し、前記スピンドルの前記軸方向空洞に向かって延び、前記主接合部材の前記溝に摩擦係合するガイドワイヤと、
前記スピンドル中に埋封され、前記横方向空洞に中心があるねじ山付インサートであって、前記横方向空洞は前記ねじ山付インサートと一体的に係合している、ねじ山付インサートと、
前記ねじ山付インサートと前記ガイドワイヤに係合して、前記ワイヤが前記主接合部材の前記溝に係合する部分の垂直抗力を調節するねじ手段と、
を有する高さ調節手段と、
前記主接合部材に結合した主ヨークを含む少なくとも１つのヨークと、
前記傾斜ブロックに結合した少なくとも一つの副接合部材と、
を具備する台。
【請求項５】
前記主ヨークは、
第１デスク手段に結合する第１傾斜ブロックに結合する第１副接合部材と、
第２デスク手段に結合する第２傾斜ブロックに結合する第２副接合部材と、
に係合する、請求項４に記載の文学及び音楽作品を支持するための台。
【請求項６】
第１傾斜ブロックに結合する第１副接合部材であって、前記第１傾斜ブロックは第１デスク手段に結合する第１副接合部材と、
第２ヨークに結合する第２副接合部材であって、前記第２ヨークは少なくとも一つの副接合部材に係合し、前記第２ヨークに係合する前記各副接合部材はさらに前記傾斜ブロックの１つに係合し、前記各傾斜ブロックはデスク手段に係合する、前記第２副接合部材と、
を含む、請求項４に記載の文学及び音楽作品を支持するための台。
【請求項７】
第３ヨークを含み、
前記主ヨークは、
少なくとも一つの副接合部材に係合する前記第２ヨークに結合する第１副接合部材であって、前記第２ヨークに係合する前記副接合部材の各々はさらに前記傾斜ブロックの１つに係合し、前記傾斜ブロックの各々はデスク手段に係合する、第１副接合部材と、
前記第３ヨークに結合する第２副接合部材であって、前記第３ヨークは少なくとも１つの副接合部材に係合し、前記第３ヨークに係合する前記副接合部材の各々は傾斜ブロック係合し、前記傾斜ブロックの各々はデスク手段に係合する、第２副接合部材と、
に係合する、
請求項６に記載の台。
【請求項８】
前記各接合部材の少なくとも１つは、ベース半径を有する直円柱のベースとテーパがついた端部を具備し、前記テーパがついた端部は、前記ベース半径を有する前記接合部材に沿う位置から、より小さい半径を有する前記接合部材の環状端部に向かって前記接合部材の回転軸に対して実質的に２度の角度で減少する、漸減する半径を有し、前記環状端部の前記より小さい半径は、前記直円柱のベースの前記ベース半径未満である、請求項１に記載の台。
【請求項９】
前記台はさらに少なくとも一つのランプ手段と少なくとも一つのブラケットを具備し、前記ブラケットは前記ランプ手段に結合しており、
前記傾斜ブロックは前記ブラケットに結合し、前記傾斜ブロックは前記ブラケットに結合するために形成したスロットを有する、請求項１に記載の台。
【請求項１０】
前記スロットは前記デスク手段の平坦表面及び前記傾斜ブロックの平坦表面と実質的に平行であり、
前記傾斜ブロックの３つの側部は前記スロットがＵ字形となるような前記スロットを含み、
前記傾斜ブロックの幅は前記スロットから離れた位置における幅と前記スロットにおける幅とが異なり、前記スロットにおける幅は前記スロットから離れた位置における前記傾斜ブロックの幅より小さく、
前記ブラケットには、矩形の切欠きがあり、前記矩形の切欠きの幅は、前記傾斜ブロックの前記スロットから離れた位置における幅より小さく、前記傾斜ブロックの前記スロットにおける幅より大きくし、前記ブラケットが前記傾斜ブロックに堅く結合するようにした、請求項９に記載の台。
【請求項１１】
前記台は、
前記主接合部材に結合したトレーと、
前記主接合部材に係合したピンであって、前記ピン及び前記主接合部材が前記トレーを支持するピンと
をさらに含む請求項１に記載の台。
【請求項１２】
前記トレーは、
前記トレーに結合した少なくとも一つのろうそくアームと、
前記ろうそくアームに結合した少なくとも一つのろうそくホルダーと、
をさらに含む、請求項１１に記載の台。
【請求項１３】
前記傾斜ブロックの各々は複数の空洞を含み、前記複数の空洞の各々は異なるピッチを有し、前記デスク手段は、前記主接合部材が前記複数の空洞のうちいずれに係合するかにより決定される種々の角度に方向付けられる、請求項１に記載の台。
【請求項１４】
少なくとも１つの前記デスク手段は該デスク手段に結合したタブをさらに含み、前記デスク手段は幅を有し、前記タブは、前記パネルの幅を効率的に拡張し、前記文学及び音楽作品に対して広い支持台を提供するために、枢動旋回による調節が可能であり、前記タブは、人間の手により枢動旋回による調節が可能であり、かつ、前記タブは重力に応答して枢動旋回をすることがないように、実質的に６０ジュロメーター硬度のネオプレンゴムワッシャを具備する、請求項１に記載の台。
【請求項１５】
前記脚は前記スピンドルに容易に取付け及びスピンドルから取り外し可能である、文学及び音楽作品を支持するための、請求項１に記載の台。
【請求項１６】
前記台は、
前記デスク手段に結合した第２傾斜ブロックと、
前記第２傾斜ブロックに結合した第２主接合部材と、
前記第２主接合部材に調節可能に結合した第２スピンドルと、
び前記スピンドルと前記第２スピンドルに結合したスピンドル接続手段と、
をさらに含む、文学及び音楽作品を支持するための、請求項１に記載の台。
【請求項１７】
前記デスクは、結合した木材部分を含むパネルを含み、
前記木材部は、
木材の単一ブロックから切断され、
単一ブロックにおける他の木材片との元の相対的方向から９０度回転され、
前記デスクのパネルがブックマッチされるよう、近接する木材片を互いに反対方向に回転して結合されている、
文学及び音楽作品を支持するための、請求項１に記載の台。
【請求項１８】
前記主接合部材は前記副接合部材より実質的に長い、請求項４に記載の台。
【請求項１９】
前記ガイドワイヤは該ガイドワイヤが、中央部分、第１尖端部、及び第２尖端部を有するようＵ字形をなす、請求項１に記載の台。
【請求項２０】
前記ガイドワイヤは屈曲可能な材料を含む、請求項１９に記載の台。
【請求項２１】
前記中央部分がアーチ形である、請求項１９に記載の台。
【請求項２２】
前記ガイドワイヤの前記中央部分は前記主接合部材の前記溝と実質的に平行でかつ該溝に係合している、請求項１９に記載の台。
【請求項２３】
前記ねじ手段は前記ガイドワイヤの前記第２尖端部に係合している、請求項１９に記載の台。
【請求項２４】
文学及び音楽作品を支持するための台であって、
デスク手段と、
主接合部材を含む少なくとも１つの接合部材であって、前記各接合部材の少なくとも１つは、ベース半径を有する直円柱のベースとテーパがついた端部を具備し、前記テーパがついた端部は、前記ベース半径を有する前記接合部材に沿う位置から、より小さい半径を有する前記接合部材の環状端部に向かって前記接合部材の回転軸に対して実質的に２度の角度で減少する、漸減する半径を有し、前記環状端部の前記より小さい半径は、前記直円柱のベースの前記ベース半径未満である、接合部材と、
前記デスク手段に結合し前記主接合部材に係合する傾斜ブロックと、
前記主接合部材に調節可能に結合されたスピンドルと、
複数の脚であって、前記複数の脚の各々は前記スピンドルに結合して前記スピンドルを支持する、複数の脚と、
を具備する台。
【発明の詳細な説明】
発明の背景
発明の分野
本発明は概して譜面台に関し、特に角度的及び垂直的２重調節可能な任意選択可能の多重デスク（机）を有する折畳み可能な譜面台に関する。
背景
譜面台は長年用いられた来た。譜面台は、シートミュージック（シート状楽譜）を目の高さに保ち、その上の音楽作品を演奏するために音楽家の手を解放させるのに役立つ。図１は、従来の特徴を有する譜面台１００を示す。以下に述べるように、本発明による譜面台は図１の譜面台の特徴を含む。図１を参照すると、従来の譜面台は、デスク１０２と、接合部材１０４と、デスク及び接合部材を結合させる機構（図示せず）と、接合部材１０４のデスク１０２に対する結合部下方で接合部材１０４と係合するスピンドル（軸）１０６と、スピンドル１０６と係合しかつ従来の譜面台１００を支える複数の脚とから成る。従来の譜面台１００は、高さ調節１１０及びデスクの角度調節可能な機構（図示せず）を含み得る。
従来のスピンドル１０６は、軸方向の空洞（図示せず）を含む。同空洞は円筒形で、接合部材１０４と係合するためにスピンドル１０６頂部で開いている。従来の譜面台１００は、接合部材１０４及びスピンドル１０６間で垂直相対運動を避ける機構を含み得る。スピンドル１０６の外部輪郭は各種の形状のいずれか一つをとり得る。従来の譜面台１００は、しばしばさもなければ高さが調節可能であるが、従来の譜面台のスピンドル１０６は、概して短いか、中間か若しくは高い譜面台１００を与えるために各種の長さの中から任意のものを用い得る。
従来の譜面台１００用の脚１０８は、各種の形状及びサイズが用い得る。従来の譜面台１００用の脚１０８は、従来の譜面台１００を支えるために各種の方法で従来の譜面台１００に取り付けられ得る。もし同一譜面台１００の個々の脚が異なった仕様を有するか又は異なった方法でスピンドルに取り付けられるなら、ぐらつきに関して不安定であろう。ぐらつく譜面台は望ましくない。
譜面台１００用の接合部材１０４は実質的に円筒形である。接合部材１０４の直径は、それが係合するスピンドル１０６の軸方向空洞の直径より僅かに小さいのが最適である。もし接合部材１０４の直径が、スピンドル１０６の軸方向空洞の直径より遥かに小さいなら、接合部材１０４に対する支援も同様に遥かに小さい。接合部材１０４は、デスク１０２又は接合部材１０４をデスク１０２と結合させる結合機構（図示せず）のいずれかと結合するように構成される。
従来の譜面台用のデスク１０２は、実質的に平坦なパネル１１２を含み、それは通常シートミュージックのサイズ程度のものか若しくはそれより大きい。パネル１１２はむくであるか又はシートミュージックより小さい空洞ならそれを有し得る。従来のデスク１０２は、棚板１１４を含む。同棚板は実質的に平坦かつ矩形で、パネル１１２の幅と実質的に等しい長さを有する。棚板１１４は、ほぼ９０°のかど部分を形成するようにパネル１１２と結合する。このパネル１１２と棚板１１４との組合せがシートミュージックを支持する。
従来の譜面台１００の構成要素は、金属及び木材等各種の材料で製造し得る。譜面台は、耐久性があり、目に楽しく、音楽環境との適合性に関して多様（多目的）性がある材料で構成するのが望ましい。
演奏家は時にはソロを練習又は演奏するが、しばしばデュエット、トリオ、カルテット等の形で一人以上の同僚と演奏する。この様なアンサンブル内では、通常各演奏家が異なったシートミュージック片から読み取る。異なる数の演奏家によるアンサンブルを考慮した多目的譜面台を有するのが望ましい。
さらに、音楽アンサンブルはしばしば限られた場所で練習又は演奏される。従って、全アンサンブルを考慮すると同時に最小容量の場所と妥協し得る譜面台を有するのが望ましい。
その上、練習又は演奏のために演奏家は、音楽ホール、スタジオ又は他の演奏家の家庭又はスタジオのような指定の場所にしばしば旅行する。従って、演奏家又は演奏家のアンサンブルにとって、携帯用の譜面台を有することが有用である。
さらに、自分が読み取るシートミュージックの最適位置付けの意味では、各演奏家は独特である。最適位置付けは、他の多くの要因に加えて、演奏家が演奏している特定の楽器にも依存し得る。従って、シートミュージックを支持する高さ及び角度につき調節可能な譜面台を有するのが望ましい。
発明の概要
本発明による譜面台は、高さ調節機構を有する。同機構は、摩擦によって溝と係合するガイドワイヤを含み、連続的に高さ及び摩擦力を調節できるもの与える。本発明による譜面台は、任意選択的に複数の単一又は複合デスクから成る構造体に構成可能である。
本発明による譜面台は、その構成要素の強固な結合を確保するために先細り端部を有する接合部材を含む。
本発明による譜面台は、任意選択的な枝状燭台を有するトレイを任意選択的に含む。
本発明による譜面台は、台にランプを結合するブラケットを任意選択的に含む。
本発明による譜面台は、各種の角度でシートミュージックを支えるために調節可能である。
本発明による譜面台は、幅広いシートミュージックを考慮した枢動調節可能なタブを含む。
本発明による譜面台は、携帯を容易にする取外し可能な脚を含む。
本発明による譜面台は、指揮者が利用できるようなより大きくかつより安定した単体として構成可能である。
本発明による譜面台は、その品質及び耐久性を向上させる見開き（対称木目）方法を用いて製造されるデスクを含む。
本発明による譜面台は、楽器を保持するように構成できる。
本発明による譜面台は、書見台として構成できる。
本発明の特徴及び利点は、以下の詳細な説明及び本発明の原理を用いる例示的実施例を明記する添付図を参照することによってより良く理解されるであろう。
【図面の簡単な説明】
図１は、従来の特徴を有する譜面台を示す。
図２は、本発明による譜面台用の高さ調節機構を示す。
図２Ａは、高さ調節機構を有するスピンドル及び接合部材の立面図である。
図２Ｂは、矢印方向で線ＢＢに沿った図２Ａに示す構造の断面図である。
図２Ｃは、図２Ｂに示す構造のＣで示す部分の拡大図である。
図２Ｄは、図２Ａ及び２Ｂに示す接合部材の短縮立面図である。
図２Ｅは、図２Ｄに示す接合部材の左手端を示す端部図である。
図３は、図２の高さ調節機構に対するガイドワイヤを示す。
図４は、図２の高さ調節機構に対するねじ付挿入部材を示す。
図４Ａは、ねじ山付挿入部材の端部図である。
図４Ｂは、ねじ山付挿入部材の透視図である。
図４Ｃは、ねじ山付挿入部材の側部立面図である。
図４Ｄは、矢印方向で線ＤＤに沿った図４のねじ山付インサートの断面図である。
図５は、図２の高さ調節機構に対する２重ねじ山付ねじを示す。
図５Ａは、２重ねじ山付ねじの側部立面図である。
図５Ｂは、矢印方向で線ＢＢに沿った図５Ａに示す構造の断面図である。
図５Ｃは、図５Ａに示す構造の右手端を示す端部立面図である。
図６は、二つのデスクを有する譜面台を示す。
図６Ａは、長いヨークを有する譜面台を示し、図６Ｂは、短いヨークを有する譜面台を示す。
図７は、それぞれ図６、８、９に示す譜面台用のヨークを示す。
図８は、３個のデスクを有する譜面台を示す。
図８Ａは、一方の３デスク型の透視図で、図８Ｂは、他方の３デスク型の透視図である。
図９は、４個のデスクを有する譜面台を示す。
図９Ａは、一方の４デスク型の透視図で、図９Ｂは、他方の４デスク型の透視図である。
図１０は、本発明による譜面台用の先細り端を有する接合部材を示す。
図１１は、譜面台用の任意選択的枝状燭台を有するトレーを示す。
図１１Ａは、任意選択枝状燭台を有するトレーの立面図を示す。
図１１Ｂは、トレー及び枝状燭台の透視図である。
図１１Ｃは、ろうそくアームの平面図である。
図１１Ｄは、矢印方向で線ＤＤに沿った図１１Ｃに示す構造の一部の断面図である。
図１２は、ランプ（照明器具）取付け用ブラケットを有する譜面台を示す。
図１２Ａは、ランプを付けた譜面台の透視図を示す。
図１２Ｂは、傾斜（上下傾斜）ブロックの端部図である。
図１２Ｃは、傾斜ブロックの側面図である。
図１２Ｄは、ランプブラケットの平面図である。
図１２Ｅは、図１２Ｄに示す構造の右手側面図である。
図１２Ｆは、図１２Ｄに示す構造の頂端の端部図である。
図１３は、譜面台用の傾斜ブロックを示す。
図１３Ａは、傾斜ブロックの上面図である。
図１３Ｂは、図１３Ａの傾斜ブロックの右手端の端部図である。
図１３Ｃは、図１３Ｂの傾斜ブロックの左手端の側部立面図である。
図１４は、譜面台用の伸長器タブを示す。
図１４Ａは、伸長器タブを示すデスクの立面図である。
図１４Ｂは、１４Ａに示す構造の上面図である。
図１４Ｃは、伸長器タブの平面図である。
図１４Ｄは、矢印方向で線ＤＤに沿った図１４Ｃに示す構造の一部の断面図である。
図１５は、譜面台用取外し可能脚の結合機構を示す。
図１５Ａは、結合機構の透視図である。
図１５Ｂは、図１５Ａに示す脚の側部立面図である。
図１５Ｃは、１５Ｂ図に示す脚の左手端の端部立面図である。
図１５Ｄは、図１５Ａに示す結合構造の一部の拡大図である。
図１６は、大型単体として構成可能な譜面台を示す。
図１７は、譜面台用の対称木目デスクを示す。
図１７Ａは、木材の木目を示す部分を有する対称木目デスクの立面図である。
図１７Ｂは、１７Ａ図に示す構造の側部立面図である。
図１７Ｃは、１７Ａ図に示す部分Ｃの拡大図である。
図１７Ｄ−１７Ｆは、木片がどの様にして平坦に切断かつ配列されるかを示す拡大図である。
図１８は、楽器を保持する譜面台を示す。
図１８Ａは、楽器を保持する譜面台の透視図である。
図１８Ｂは、図１８Ａに示す一つの楽器保持脚の側部立面図である。
図１８Ｃ−１８Ｆは、異なった楽器用の楽器ネック支持体の異なった形状を示す。
図１９は、書見台基部上に構成される譜面台を示す。
図１９Ａは、書見台基部上のデスクを示す透視図である。
図１９Ｂは、デスクなしの書見台基部を示す透視図である。
詳細な説明
本発明による譜面台は、図１に関して既に述べた一般的特徴を含むと共に譜面台の多くの面で多数の改良点を含む。即ち、同改良では多数の使用者及び多数の目的に役立つ外観、操作、調節可能性、分解可能性及び改変性が向上される。
図２は、本発明の望ましい実施形態による譜面台用の高さ調節装置２００を示す。図２を参照すると、本発明の譜面台は、デスク（図示せず）と、デスクと結合される接合部材２０４と、高さ調節装置２００と、そのデスクへの結合部材下方で接合部材２０４と係合するスピンドル２０６と、スピンドル２０６にかみ合うと共に譜面台を支持する複数の脚を含む。
高さ調節機構は、ガイドワイヤ２１６と、ねじ山付インサート２１８と、２重ねじ山付ねじ２２０とを含む。ねじ山付インサート２１８は、スピンドル２０６内に埋め込まれ、２重ねじ山付インサート２２０は、ねじ山付インサート２１８と係合する。ガイドワイヤ２１６は、スピンドル２０６と係合しかつスピンドル２０６の円筒状空洞２２２内へ延びる。２重ねじ山付ねじ２２０はガイドワイヤ２１６と係合し、２重ねじ山付ねじ２２０の半径方向位置が、円筒状空洞２２２の円筒形対称軸に関してガイドワイヤ２１６の半径方向位置を決定するようにされる。
図３は、図２のガイドワイヤ２１６の詳細を例示する。図３を参照すると、ガイドワイヤ２１６は、それが中央部分３２４、第１尖端部３２６及び第２尖端部３２８を有するという意味でＵ字状である。第１尖端部３２６は、スピンドル２０６内へ押込まれるか若しくは第１横方向空洞２３０と係合する。第１尖端部３２６は、その中央部分３２４との接続点から尖端に向けてその先細りが始まる点まで実質的に円筒状である。
望ましい実施例では、ガイドワイヤ２１６が２４ゲージ硬質ステンレスワイヤで構成される。第１尖端部３２６の長さは、その中央部分３２４との接続点から第１尖端部の尖端まで０．３１２５インチ（約7.94mm）である。第１尖端部３２６の先細り角度は、第１尖端部３２６の円筒形部分の円筒形対称軸に関してほぼ２５°である。その後第１尖端部３２６は、実質的に０．２２５１インチ（約5.63mm）に亘って実質的に円筒状で、次いで尖端まで実質的に追加の０．９１インチ（約23.11mm）に亘って先細る。第１尖端部３２６が全体的に係合する第１横方向空洞は、スピンドル２０６の円筒形対称の軸と同軸でかつ接合部材２０４を収容する、スピンドル２０６軸方向空洞２２２に対して横向きでかつ開いている。
ガイドワイヤ２１６の第２尖端部３２８は、実質的に円筒状であり、望ましい実施例では０．１２０乃至０．１８０インチ（約3.05乃至4.57mm）の長さを有する。ガイドワイヤ２１６の第２尖端部３２８の円筒状対称軸は、スピンドル２０６の第２横方向空洞２３２と同軸である。スピンドル２０６の第２横方向空洞２３２は、接合部材２０４を収容するスピンドル２０６の軸方向空洞２２２に対して横向きでかつ開いている。
ガイドワイヤ２１６の中央部分３２４はアーチ状にされ、望ましい実施例では、実質的に０．０５２インチ（約1.32mm）の弦高さ及び実質的に０．８インチ（約20.32mm）の弦直径を有する。ガイドワイヤ２１６の中央部分３２４は、接合部材２０４と摩擦によって係合する。接合部材２０４とガイドワイヤ２１６の中央部分３２４との摩擦による係合は、スピンドル２０６に関する接合部材２０４の相対的移動を防止する。
図４は、図２のねじ山付インサート２１８の詳細を例示する。図４を参照すると、ねじ山付インサート２１８は、内ねじ山４３４及び外ねじ山４３６を有する。外ねじ山４３６は、ねじ山付インサート２１８とスピンドル２０６との結合を容易にする。ねじ山付インサート２１８は、スピンドル２０６内へ埋め込まれ、ねじ山付インサート２１８の対称軸がガイドワイヤ２１６の第２尖端部３２８の円筒形対称軸と同軸でかつスピンドル２０６の円筒状対称軸と横向きになるようにされる。ねじ山付インサートの内ねじ山４３４は、２重ねじ山付ねじ２２０と係合するように構成される。
望ましい実施例では、ねじ山付インサート２１８の外ねじ山４３６は、注文製の鋭利さを有し、ねじ山付インサート２１８の外径は、外ねじ山４３６の頂部間で実質的に０．４３７５インチ（約11.11mm）であり、外ねじ山４３６の底部間で実質的に０．３７５インチ（約9.53mm）である。ねじ山付インサート２１８の長さは、スピンドル２０６の円筒形シェル（外皮）の厚さより小さく、約０．６７５インチ（約17.15mm）である。望ましい実施例では、ねじ山付インサート２１８の長さは実質的に０．２インチ（約5.08mm）である。ねじ山付インサート２１８の内径は、内ねじ山４３４の頂部間で実質的に０．１９７インチ（約5.00mm）であり、内ねじ山４３４の底部間で実質的に０．２５５インチ（約6.48mm）である。ねじ山付インサート２１８は、スピンドル２０６内へ埋め込まれ、ねじ山付インサート２１８の一端が、埋め込まれたねじ山付インサート２１８の位置においてスピンドル２０６の外径の実質的に０．１００インチ（約2.54mm）内側になるようにされる。
図５は、図２の２重ねじ山付ねじ２２０の詳細を例示する。図５を参照すると、２重ねじ山付ねじ２２０は、第１ねじ山付部分５３８及び第２ねじ山付部分５４０並びにそれらの間にねじなし部分５４２を有する。２重ねじ山付ねじ２２０の第１ねじ山付部分５３８及び第２ねじ山付部分５４０のねじ山直径は、図４のねじ山付インサート２１８との結合を与える。望ましい実施例では、２重ねじ山付ねじ第１ねじ山付部分５３８の長さは０．１００インチ（約2.54mm）であり、そのねじ山頂部間で０．２５５インチ（約6.48mm）より小さい直径を有し、そのねじ山底部間で０．１９７インチ（約5.00mm）より小さい直径を有する。ねじなし部分５４２は実質的に円筒形で、実質的に０．１８０インチ（約4.57mm）の長さ及び実質的に０．１５５インチ（約3.94mm）の直径を有する。２重ねじ山付ねじ２２０の第２ねじ山付部分５４０の長さは、実質的に０．２５インチ（約6.35mm）である。実質的に０．０３１インチ（約0.29mm）のねじ山除去部分５４４が、第２ねじ山付部分５４０に隣接して設けられる。
２重ねじ山付きねじ２２０の頭５４６は、その直径がねじ山付き部分のものより大きく、長さは0.71インチ（約18.0mm）である。２重ねじ山付きねじ２２０の第２ねじ山付き部分５４０はねじ山付きねじ２２０と係合する。２重ねじ山付ねじ２２０の端部５４８は円筒状端部空洞５５０を有し、端部空洞５５０は、ガイドワイヤ２１６の第２尖端部３２８及び２重ねじ山付ねじ２２０の端部空洞５５０が同軸上にあり、かつ、第２尖端部３２８が端部空洞５５０の内部に係合するようにガイドワイヤ２１６の第２尖端部３２８と係合する。
図２に示す本発明の好ましい実施例によるスピンドルは、第１横方向空洞２３０と、第２横方向空洞２３２を有する。第１横方向空洞２３０は、スピンドル２０６の軸方向空洞２２２に対して横方向に該空洞２２２に向かって開放しかつスピンドル２０６の上端から僅かな距離下に位置する小さな円筒形の孔である。第２横方向空洞２３２は、異なった直径の２つの円筒状のセクションを有し、ガイドワイヤ２１６の中心の部分３２４の長さにほぼ等しい距離だけ第１横方向空洞２３０から下に下がった位置に位置する。大径セクションはスピンドル２０６の外側に開放し、直径はほぼ0.40625インチ（約10.32mm）である。
大径セクションはスピンドル２０６の外表面から約0.4インチ（約10.16mm）軸２０６の内側へ延伸する。小径セクションはスピンドル２０６の内表面から約0.275インチ（約7mm）外側へ延伸して大径セクションにつながり、埋め込まれたねじ山付きインサート２１８の位置でのスピンドル２０６の厚みは、スピンドル２０６の軸方向空洞２２２の外面からスピンドル２０６の外面までの距離であり約0.675インチ（約17.15mm）である。
図２に示す本発明の好ましい実施例による接合部材２０４は全長の一部に渡って延伸する溝２５２を有する。溝２５２の幅は、この溝にはまるガイドワイヤ２１６の中央部分３２４を受けるために十分広い。接合部材２０４と溝２５２は、好ましくは、広範囲の高さ調整を可能にするためにできるだけ長い。
図１０は、本発明の好ましい実施例による先細端部７６４を備える接合部材２０４を示す。図１０を参照すると、接合部材２０４は、その円筒状対称の軸に関して約２°度のテーパがついた端部７６４を有する。接合部材２０４の長さは変えることができる。例えば、主接合部材２０４は、高さ調整が行えるように、いずれの副接合部材２０４よりも長い。接合部材２０４のテーパのついてない部分７６６は、実質的に正円柱であり、基準半径を有する。好ましくは、基準半径は、0.388インチ（約38.1mm）である。テーパ付き端部７６４の長さは、好ましくは、1.25-1.5インチ（約31.75-29.21mm）である。各合わせ棒２０４のテーパ付き端部７６４は、台６０２に結合される傾斜ブロック６５８又は多数の台に結合される多様なヨーク（結合材）に結合される傾斜ブロック６５８を含む結合ペア部材のうちの雄側部材を構成する。図１３に示す傾斜ブロック６５８又は図７及び１２Ａに示すヨーク６５４，８６８（これらはそれぞれ合わせ棒２０４のテーパ付き端部７６４に結合される）は、接合部材２０４のテーパ付き端部７６４の外形に嵌合するように形成された空洞を有する。２°のテーパがついた端部により、接合部材２０４と、これと協働する傾斜ブロックやヨークの間で最良の強い、離脱可能な嵌合を得ることができることが判明した。
図１３は、本発明の好ましい実施例による傾斜ブロック６５８を示す。図１３を参照すると、傾斜ブロック６５８は接合部材２０４と結合するための少なくとも１つの空洞１３０３を有する。好ましくは、傾斜ブロック６５８は３つの空洞１３０３を有する。各空洞１３０３は接合部材２０４に嵌合するように形成される。好ましい実施形態において、各空洞２０３は、図１０に示すテーパ付接合部材のようなテーパ付接合部材１００４に嵌合するように形成される。各空洞１３０３は異なる勾配を有し、傾斜ブロック６５８に取り付けられた台６０２は使用される空洞１３０３の勾配に従い角度をなす。
好ましい実施形態において、傾斜ブロック６５８は３０°の傾斜を有する空洞１３０３、４５°の傾斜を有する空洞１３０３及び６０°の傾斜を有する空洞１３０３を備える。各勾配は、円柱空洞１３０３の対称軸と、台６０２の面の法線とがなす角度である。接合部材２０４はそれが係合する空洞１３０３の対称軸と同軸であり、各接合部材２０４はほぼ垂直であり、台６０２には各接合部材２０４が係合する空洞１３０３の勾配の角度がつく。
本発明の最も単純な実施例において、譜面台は一つの台を有するが、好ましい実施形態の特徴として、譜面台を単純化しかつ多様な位置に複数の台を設けるように容易に変更することができる。
調整機構２００は多くの利点を有する。ガイドワイヤを接合部材２０４の溝の中に用いることにより、接合部材ワイヤの接触長さが長くなり、これらの２つの要素間の相対運動を防止する摩擦を与えることができる。更に、この調整機構は、接合部材０４の外面に係合するねじによって合わせ棒の外面にできる目に見えるへこみを示さない。このことは、譜面台が木製であるという好ましい場合に特に重要である。
ねじのついていない部分５４２によって第１ねじ山付き部分５３８と第２ねじ山付き部分５４０を隔てることにより、インサート２１８のねじ山４３４のところの第２ねじ山付き部分５４０を緩めることによってスピンドルと接合部材の緊結作用を完全になくすことができ、多数位置において両者の係合離脱が可能であり、またねじ２２０がなくなることを防止するという安全特性を与える。
図６は、二つの台６０２を備える譜面台を示す。図６に言及して、スピンドル２０６は複数の脚６０８と、主接合部材２０４に結合されている。主接合部材２０４は、図７で説明したヨーク６５４（主ヨーク）と、好ましくは該主ヨークがバランスを取るように該主ヨーク６５４の中心で結合されている。主ヨーク６５４は副接合部材６５６と結合されている。
各副接合部材６５６は主接合部材２０４と同様に、あるいは異なるように設けることができる。例えば、譜面台の高さが最も効果的に調整されるように長い主接合部材２０４を有することが好ましい。副接合部材６５６はヨーク６５４との結合を維持する。なぜなら、ねじが副接合部材６５６をヨーク６５４に締め付けてよく６５４に対して相対的な位置に保持するからである。好ましくは２つの副接合部材６５６をヨーク６５４の中心から等しい距離に設け、かつ重量および形状も同様に設けて譜面台がバランスを維持するようにする。
各副接合部材６５６は傾斜ブロック６５８を介して１つの台６０２に結合される。傾斜ブロック６５８は各台の背面に結合される。第２実施例の好ましい形態の傾斜ブロック６５８は、図３に詳細に示すものと同様な特徴を示す。
各台６０２と各ヨーク６５４は自由に回転できる。なぜなら、各傾斜ブロック６５８及びヨーク６５４の合わせ棒２０４，６５６との結合は台６０２及びヨーク６５４と、それらの各接合部材２０４，６５６との間の相対回転運動を妨げないからである。傾斜ブロック６５８とヨーク６５４の結合は、各台６０２とヨーク６５４の横方向及び下向き方向の運動を妨げるだけである。各台６０２とヨーク６５４は、それが取り付けられている合わせ棒２０４，６５６から台６０２又はヨーク６５４を上方に持ち上げることによって容易に取り除くことができる。台６０２及びヨーク６５４を回転させ、異なる長さのヨーク６５４に交換し、また、主合わせ棒２０４の垂直位置をスピンドル２０６に対して調整することにより、譜面体の多様な形態が可能になる。
図７は、図６，８及び９に示す二つ、三つ又は四つの台と共に用いるヨーク６５４を示す。図７に言及して、本発明によるヨーク６５４は、ヨーク６５４の重心位置に存し、ヨークの６５４の底部に開放した中央空洞を７６０を有する。ヨーク６５４はまた、少なくとも一つの外側空洞７６２を有し、好ましい態様ではヨーク６５４の各端部に一つずつ、即ち二つの外側空洞７６２を有する。中央空洞７６０は主接合部材２０４又は副接合部材６５４のいずれか一方に結合されるが、いずれの場合でも、接合部材６５４の図１０に詳細を示すテーパ付き端部７６４にしっかりと嵌合する。ヨーク６５４の外側空洞７６２は副接合部材６５６の正円柱状底部７６６に嵌合する。副接合部材６５６はねじ（図示省略）によって所定位置に固定される。
図８は三つの台を有する譜面台を示す。図８に言及して、主ヨーク６５４は、スピンドル２０６に結合された主接合部材２０４に結合される。２つの副接合部材６５６は主ヨーク６５４に結合される。片方の副接合部材６５６は、台６０２の背面に取り付けられた傾斜ブロック６５８を介して台６０２に結合される。他方の副主接合部材６５６は第２ヨーク８６８に、好ましくは、第２ヨーク８６８の重心において結合される。
第２ヨーク８６８の長さは主ヨーク６５４の長さと同じあるいは異なるものとすることができる。２つの副接合部材６５６は次に、副接合部材６５６が主ヨーク６５４に結合された方法と同様な方法で第２ヨーク８６８に結合される。第２の台６０２及び第３の台６０２はそれぞれ、傾斜ブロック６５８を介して、ここでも第１の台６０２と同様に、第２ヨーク８６８の副接合部材６５６の１つと結合される。台６０２及びヨーク６５４，８６８を回転させ、異なる長さのヨーク６５４，８６８を交換し、また、主接合部材２０４の垂直位置をスピンドル２０６に対して調整することにより、譜面台の多様な態様が可能になる。
図９は、四つの台６０２を有する譜面台を示す。図９を参照すると、主ヨーク６５４は主接合部材２０４に、好ましくは主ヨーク６５４の重心位置で結合される。主ヨーク６５４は２つの副接合部材６５６と結合される。これらの副接合部材６５６の１つは第２ヨーク８６８と結合され、他方の接合部材６５６は第３ヨーク（図９Ｂで図示省略）と結合される。第２ヨーク８６８及び第３ヨークはそれぞれ２つの副接合部材６５６と結合され、これらの各副接合部材６５６は台６０２に取り付けられた傾斜ブロック６５８を介してその台６０２に結合される。
台６０２及びヨーク６５４，８６８を回転させ、異なる長さのヨーク６５４，８６８を交換し、また、主接合部材２０４の垂直位置を支軸２０６に対して調整することにより、譜面台の多様な態様が可能になる。更に、４つ以上の台を取り付けて本発明による譜面台を形成することもでき、ヨーク８６８及び台を１つずつ追加して５つ台、６つ台等を実装することができる。
図１１は、オプションの燭台１１７２を備えるトレー１１７０を有する譜面台を示す。図１１を参照すると、２つの鉛筆立て用の筒がはめ込まれたトレー１１７０は、好ましくは、トレー１１７０をバランスよくするためにトレー１１７０の重心位置で主接合部材２０４に結合される。トレー１１７０は副接合部材６５６に結合することができる。トレー１１７０は、音楽練習又は音楽演奏のときに手に持つ必要がある物、例えば、ギターピック又は調律装置のような物を保持するために使用することができる。
図２Ｄに示すように、トレー１１７０を取り付ける接合部材２０４は、テーパ付き端部７６４の下方に接合部材空洞２７４を有する。ピン１１７６がその接合部材空洞２７４内に置かれ、トレー１１７０内に設けたトレー空洞１１７８は、接合部材２０４がトレー１１７０の横方向の運動を防止するようにトレー１１７０が接合部材２０４に結合されることを許容する。トレー空洞１１７８は、接合部材２０４の正円柱部分７６６の直径とほぼ同様であるが、それより若干大きい直径を有する。接合部材空洞１１７４は、ピン１１７６の直径とほぼ同様であるが、それより若干大きい直径を有する。
トレー１１７０は、ピン１１７６がトレー１１７０を支持してその下向きの運動を防止するようにピン１１７６の上方で接合部材２０４に設けられる。トレー１１７０を回転させて音楽家の好みの位置とか、使用される状況に合わせることができる。加えるに、燭台１１７２をトレー１１７０に取り付けることができる。二つのろうそくアーム１１８０を、好ましくは対称的にトレー１１７０の両端でトレー１１７０に結合することとしても良い。ろうそくホルダ１１８２をろうそくアーム１１８０に取り付け、ろうそく１１８４をろうそくホルダ１１８２内に設置する。ろうそくアームを回転調節することができる。
図１２は、譜面台にランプ１２８８を取り付けるブラケット１２８６を示す。図１２及び１３を参照すると、デスク６０２の背面に取り付けられ接合部材２０４，６５６に結合される傾斜ブロック６５８は、デスク６０２に接近して配設されたスロット１２９０を含む。好ましくは、スロット１２９０の中心は、そこにランプ取り付けブラケット１２８６が滑って入ってこれるようにするためにデスク６０２の背面から0.25インチ（約6.35mm）離れている。ブラケット１２８６は中央切欠き１２９２を有し、この切欠き１２９２は、ブラケット１２８６がブロック６５８のスロット１２９０内に容易に、かつ、しっかりとすべり込むことを許容する。傾斜ブロック６５８は、好ましくは、スロット１２９０から背面まで、幅1.0625インチ（約27.0mm）である。切欠き１２９２の幅は傾斜ブロック６５８のスロット１２９０から背面までにおける幅よりも小さく、従って、好ましくは1.0625インチ（約27.0mm）より小さい。しかしながら、スロット１２９０での傾斜ブロック６５８の幅は、ブラケット１２８６内の切欠き１２９２の幅よりも小さい。ブラケット１２８６の上面はブラケット空洞１２９４を有し、この空洞はランプ１２８８をブラケット１２８６に取り付けやすくする。ランプ１２８８のアーム１２９６はその両端がねじ付きである。ナットによりアーム１２９６をブラケット１２８６に結合し、別のナットを用いてアーム１２９６をランプソケット１２９８及びランプシェード１２０１に結合する。
図１４は、台６０２の伸長器タブ１４０５を示す。図１４を参照すると、台６０２は、台６０２の背面に台６０２の右側若しくは左側のいずれか一方又は右側及び左側の両方に取り付けられた伸長器タブ１４０５を含む。伸長器タブ１４０５は旋回されて角度を調整できるが、垂直下向き位置と、必要なときに幅の広い譜面をのせることができるように台６０２の有効幅を調整した完全水平張り出し位置との間で用いることが好ましい。
各伸長器タブ１４０５の枢軸１４０７における結合機構は、伸長器タブ１４０５が重力によって又は他の要素（譜面台を含む）との通常の接触によって動くことがないようにする材料を含む。しかしながら、人間が故意に伸長器タブ１４０５に接触してトルクを与えたときは、伸長器タブ１４０５はその枢軸１４０７回りに回転することができる。従って、好ましくは、各伸長器タブ１４０５の枢軸１４０７の結合機構は、６０デュロメータ硬度のゴムワッシャ１４０９を含む。
図１５は、脚１５０８と、取り付け可能な脚１５０８を結合する機構を示す。図１５を参照すると、譜面台は、補足的な結合機構１５０９を有する脚１５０８に結合されるように構成された掛けくぎ１５１１を含む。脚１５０８は、それがスピンドル１５０６と結合されたときに、スピンドル１５０６の垂直面とほぼ平行に走るスロット１５１３としての形態の結合機構を含む。脚１５０８は平らな面１５１５を更に含み、この平らな面１５１５は、例えば、平らな面１５１５が床面と一致するように脚１５０８がスピンドル１５０６と結合されたときに、スピンドル１５０６の対称軸に対して垂直になる。
掛けくぎ１５１１は幅狭中央部分１５１９と、二つの幅広外側部分１５１７，１５２１を含む。好ましくは、各部分１５１９，１５１７，１５２１はほぼ円柱形である。掛けくぎ１５１１の中央部分１５１９は、脚１５０８のスロット１５１３の幅よりも小さい直径を有する。掛けくぎ１５１１の２つの幅広外側部分１５１７，１５２１は、脚１５０８のスロット１５１３の幅よりも大きな直径を有する。スピンドル１５０６を今説明した結合機構を介して脚１５０８に結合するとき、スピンドル１５０６を持ち上げて掛けくぎ１５１１をスライドさせスロット１５１３から取りだし、スピンドル１５０６の脚１５０８との結合を解除する必要がある。
各脚１５０８は、スピンドル１５０６にトルク及び半径内側方向の力を作用させる。これらの各力及びトルクは、１又はそれ以上の他の脚１５０６から生じる逆トルク及び力によってバランスが取られる。好ましくは、スピンドル１５０６に結合され互いに隣接する脚１５０８の間の開き角度は、各脚１５０８が実質的に等しい量の力及びトルクを生じかつ吸収するように等しくされる。
図１６は、大きなユニットの部分として構成された譜面台を示す。図１６を参照すると、先に説明した実施例に用いる台よりもなるべく大きな台１６０２を２つ又はそれ以上の、好ましくは二つの傾斜ブロック６５８に結合する。各傾斜ブロック６５８を接合部材２０４に結合する。各合わせ棒２０４は、それが支軸２０６と一体的に係合するという意味で主接合部材２０４である。その意味で、少なくとも２つの支軸２０６（各接合部材２０４に対して一つ）が必要である。
各スピンドル２０６は、図５に示すように脚１５０８に結合されない掛けくぎ１５１１を有する。代わりに、各スピンドル２０６の１つの掛けくぎが支軸結合棒１６２３と結合される。スピンドル結合棒１６２３は、図１５に示す結合機構とほぼ同様な結合機構を介して両方の支軸１２０６に取り付けられる。スピンドル結合棒１６２３の両端はそれぞれ、結合機構の支軸２０６の掛けくぎ１５１１に対する補助構成要素１５０９を含む。
図１６に示す実施形態において、トレー１６７０は図１１に示すトレーと同様であるが、ただ、図１１の主接合部材６０４に係合する中央空洞１１７８が図１６において図１１の中央空洞１１７８の位置からトレー１６７０の両サイドに等しく配設された二つの空洞１６７８に代わっている点で異なる。
図１７は、ブックマッチされた台１７０２を示す。図１７を参照すると、台１７０２は、元の木材の同じブロック１７２９から切り出されたいくつかの木材細片１７２７を含んでなるパネル１７２５を有する。切断された後、パネル１７２５の各木材細片は、時計回りと反時計回りに交互に９０°回転され、次に、接着剤を用いて互いに隣接する物同士で結合される。ブックマッチされた台１７０２は、台の性能を最適化するために木材細片の木目を調整する。
図１８は、楽器を保持するために使用できる譜面台を示す。図１８を参照すると、譜面台は接合部材１８０４，ネック支持体１８３１，スピンドル１８０６、及び少なくとも一つ、好ましくは二つの特別な脚１８０８であって、下向きに凹状の上面を有し、スピンドルに結合される一端と楽器を支持するように特別に構成された自由端との間に最小高さ部分を備える脚１８０８を含んでなる複数の脚１５０８を含む。
支軸１８０６の長さは、特定サイズの楽器を収容するのに適した高さを与える範囲内の高さとすることができる。好ましくは、図２に示す高さ調整機構２００を導入して譜面台１８００の高さを調整する。
第１３番目の実施例の接合部材１８４０は、その一端の近くに配設され合わせ棒１８０４をその全直径長さにわたって貫通する空洞１８３３（図２Ｄ参照）を有する。ネック支持体１８３１は、直径が接合部材１８０４の直径よりも若干大きな円柱形状の空洞１８３５を有する。接合部材１８０４はネック支持体１８３１の第１空洞１８３５と一体的に係合する。
ネック支持体１８３１は、その第１空洞１８３５を横切る第２空洞１８３７を有する。ネック支持体１８３１の第１空洞１８３５及び第２空洞１８３７は、第１空洞１８３５の中心と交差する円柱対称軸を有する。
ピン１８７６は、ネック支持体１８３１の第２空洞１８３７と、ネック支持体１８３１が接合部材１８０４と結合されるようにネック支持体１８３１の第１空洞１８３５と係合する接合部材１８０４の空洞１８３３とに係合する。ネック支持体１８３１は支持される楽器の首の形状に合うように構成された形状を有する。
それぞれの特別な脚１８０８は、床面上に位置する特定の脚１８０８の平らな部分１８１５の向こう側まで延伸する拡張部分１９３９を有する。特別な脚１８０８の拡張部分１９３９は、支持する楽器の底部と係合するために床面から上方に湾曲している。譜面台を支持する他の脚１５０８に比べて特別な脚１８０８を互いに近くに配設して、楽器を（譜面台の中心位置からずれた位置に）置くことにより生じるトルクに対する各特定の脚１８０８に床面から押し上げる相等しい対向トルクによりバランスを取る。
図１９は、書見（譜面）台ベース１９４１上に設けた譜面台を示す。図１９に言及して、書見台ベース１９４１上に設ける譜面台は、傾斜ブロック１９５８と結合された台１９０２と、傾斜ブロック１９５８と一体的に結合された接合部材１９０４と、書見台ベース１９４１とを有する。書見台ベース１９４１は接合部材１９０４と結合され、接合部材を垂直に保持する。好ましい実施形態において、傾斜ブロック１９５８は図１３に示すものよりも小さく、接合部材１９０４は図１０に示すものよりも小さい。書見台ベース１９４１は、それがおかれるものと同一平面をなすように、ほぼ平坦である。
ここで説明した発明の実施例の多様な代替例を発明の実施に採用できることが理解される。次の請求項は発明の範囲を決定し、これらの請求項からなる請求の範囲内の方法及び装置、並びに同等なものはその範囲によりカバーされる。
【図１】
0003874427.tif 000002
【図２】
0003874427.tif 000003
【図３】
0003874427.tif 000004
【図４】
0003874427.tif 000005
【図５】
0003874427.tif 000006
【図６】
0003874427.tif 000007
【図７】
0003874427.tif 000008
【図８】
0003874427.tif 000009
【図９】
0003874427.tif 000010
【図１０】
0003874427.tif 000011
【図１１】
0003874427.tif 000012
【図１２】
0003874427.tif 000013
【図１３】
0003874427.tif 000014
【図１４】
0003874427.tif 000015
【図１５】
0003874427.tif 000016
【図１６】
0003874427.tif 000017
【図１７】
0003874427.tif 000018
【図１８】
0003874427.tif 000019
【図１９】
0003874427.tif 000020